(57)【要約】【課題】  吸入ガスの分配機能及び空回転部の高圧噴射機能を同時に有する四方バルブを備えることで、製造原価を節減するとともに、検証された部品を用いることで信頼性を向上できる容量可変圧縮機を提供する。また、初期平行圧状態で四方バルブ駆動源を得るための昇圧アルゴリズムを行うことで、四方バルブのピストンを駆動するための圧力差を発生できる容量可変圧縮機の起動運転方法を提供する。【解決手段】  容積の異なる複数の圧縮室１３１ａ，１３２ａと；複数の圧縮室１３１ａ，１３２ａのうち圧縮動作が行われる圧縮室に冷媒を供給し、冷媒が圧縮されてない圧縮室に圧縮された高圧冷媒を供給する流路切換装置６０とを含んで容量可変圧縮機を構成する。【選択図】      図１
2006233954.tif 000002
【特許請求の範囲】
【請求項１】
容積の異なる複数の圧縮室と；
前記複数の圧縮室のうち圧縮動作が行われる圧縮室に冷媒ガスを供給し、冷媒が圧縮されてない圧縮室に圧縮された高圧冷媒を供給する流路切換装置とを含むことを特徴とする容量可変圧縮機。
【請求項２】
前記流路切換装置は、運転中の圧縮室にガスを分配し、非運転中の圧縮室に圧縮された高圧冷媒を噴射する四方バルブを含むことを特徴とする請求項１に記載の容量可変圧縮機。
【請求項３】
前記四方バルブは、圧縮された高圧冷媒を吐出する吐出配管から分岐されたバイパス管と、圧縮しようとする吸入冷媒ガスが供給される流入配管と、前記流入配管から流入された吸入冷媒ガスを前記複数の圧縮室に伝達する複数の吸入管と、にそれぞれ連結され、前記複数の吸入管のいずれか一つを選択的に流入配管に連結し、他の吸入管を前記バイパス管に連結することを特徴とする請求項２に記載の容量可変圧縮機。
【請求項４】
前記制御部は、初期平行圧状態で、前記四方バルブのピストンを駆動するための昇圧運転を制御することを特徴とする請求項２に記載の容量可変圧縮機。
【請求項５】
第１圧縮容量を有する第１圧縮室と；
第２圧縮容量を有する第２圧縮室と；
圧縮機の運転モードによって、前記第１及び第２圧縮室に非圧縮ガス及び圧縮ガスを選択的に提供するバルブユニットとを含むことを特徴とする冷却システムに用いられる容量可変圧縮機。
【請求項６】
前記バルブユニットは、前記第１圧縮室及び第２圧縮室のうち運転されるいずれか一つに非圧縮ガスを提供し、運転されてない他の一つに圧縮ガスを提供することを特徴とする請求項５に記載の容量可変圧縮機。
【請求項７】
前記第１圧縮容量は、全体容量であり、前記第２圧縮容量は、部分容量であることを特徴とする請求項５に記載の容量可変圧縮機。
【請求項８】
前記バルブユニットは、
前記第１圧縮室にガスを提供する第１管と；
前記第２圧縮室にガスを提供する第２管と；
冷凍サイクルから非圧縮ガスを受ける流入配管と；
圧縮機の出力部から圧縮ガスを受けるバイパス管とを含むことを特徴とする請求項５に記載の容量可変圧縮機。
【請求項９】
前記バルブユニットは、前記第１管、第２管、流入配管及びバイパス管に連結される通路を備えたバルブ本体と；
前記第１管、第２管、流入配管及びバイパス管を互いに遮断または連結するために前記通路に配置された切換部材と；
前記切換部材を前記通路内で移動させる駆動ユニットとをさらに含むことを特徴とする請求項８に記載の容量可変圧縮機。
【請求項１０】
前記駆動ユニットは、ピストン及びソレノイドを含むことを特徴とする請求項９に記載の容量可変圧縮機。
【請求項１１】
前記バルブユニットは、
前記第１管が前記流入配管に連結されて前記バイパス管から遮断され、前記第２管が前記バイパス管に連結されて前記流入配管から遮断される第１運転状態と；
前記第１管が前記バイパス管に連結されて前記流入配管から遮断され、前記第２管が前記流入配管に連結されて前記バイパス管から遮断される第２運転状態とを含むことを特徴とする請求項８に記載の容量可変圧縮機。
【請求項１２】
容積の異なる複数の圧縮室と、前記複数の圧縮室に冷却ガスを選択的に分配する四方バルブとを備えた容量可変圧縮機の起動方法において、
前記圧縮機が初期起動モードであるかを判断する段階と;
前記圧縮機が初期起動モードであると判断されると、初期平行圧状態で前記四方バルブのピストンを駆動するための複数の圧縮室の圧力差を形成するように、四方バルブを制御する段階とを含むことを特徴とする容量可変圧縮機の起動運転方法。
【請求項１３】
圧力差を形成するように四方バルブを制御する段階は、
複数の圧縮室の一つ以上を運転する段階と；
所定の待機時間の間、圧縮機を停止する段階と；
所定の待機時間が経過した後、残りの一つ以上の圧縮室を運転する段階と；を含むことを特徴とする請求項１２に記載の容量可変圧縮機の起動運転方法。
【請求項１４】
前記複数の圧縮室のうち一つ以上の圧縮室または残りの一つ以上の圧縮室を、所定時間の間選択的に運転することを特徴とする請求項１３に記載の容量可変圧縮機の起動運転方法。
【請求項１５】
前記所定の待機時間の間、複数の圧縮室の運転を全て停止することを特徴とする請求項１３に記載の容量可変圧縮機の起動運転方法。
【請求項１６】
前記圧縮機が断続運転モードであるかを判断する段階をさらに含むことを特徴とする請求項１２に記載の容量可変圧縮機の起動運転方法。
【請求項１７】
前記圧縮機が断続運転モードであると判断されると、前記四方バルブを制御することで、前記四方バルブのピストンを駆動するための複数の圧縮室の圧力差を形成することを特徴とする請求項１６に記載の容量可変圧縮機の起動運転方法。
【請求項１８】
前記断続運転モードは、所定時間経過した後、 圧縮機が再び起動することを特徴とする請求項１６に記載の容量可変圧縮機の起動運転方法。
【請求項１９】
容量可変圧縮機が初期起動モードであるかを判断する段階は、容量可変圧縮機が冷起動モードであるか、または、温起動モードであるかを判断する段階を含むことを特徴とする請求項１２に記載の容量可変圧縮機の起動運転方法。
【請求項２０】
容量可変圧縮機が温起動モードであると判断される場合、容量可変圧縮機が断続運転モードであるか、または、連続運転モードであるかを判断する段階をさらに含むことを特徴とする請求項１９に記載の容量可変圧縮機の起動運転方法。
【請求項２１】
複数の圧縮室の圧力差を発生するように四方バルブを制御する段階は、容量可変圧縮機が冷起動モードまたは断続起動モードである場合に行われることを特徴とする請求項２０に記載の容量可変圧縮機の起動運転方法。
【請求項２２】
所定の第１運転時間の間、前記第１圧縮室を運転する段階と；
所定の第１停止時間の間、容量可変圧縮機を停止する段階と；
所定の第２運転時間の間、前記第２圧縮室を運転する段階とをさらに含むことを特徴とする請求項１２に記載の容量可変圧縮機の起動運転方法。
【請求項２３】
前記第１圧縮室を運転する段階は、所定の第１運転時間の間、１００％の圧縮容量で運転する段階を含み、
前記第２圧縮室を運転する段階は、所定の第２運転時間の間、４０％の圧縮容量で運転する段階を含むことを特徴とする請求項２２に記載の容量可変圧縮機の起動運転方法。
【発明の詳細な説明】
【技術分野】
【０００１】
本発明は、容量可変圧縮機に関するもので、詳しくは、吸入ガスの分配機能及び高圧噴射機能を同時に有する四方バルブを備えることで、初期平行圧状態で四方バルブの駆動源を得られる容量可変圧縮機及びその起動運転方法に関するものである。
【背景技術】
【０００２】
空気調和機及び冷蔵庫などの冷凍サイクルを用いて周囲空間を冷却する冷却装置は、冷凍サイクルの閉回路を循環する冷媒を圧縮するための圧縮機を備えており、この冷却装置の冷却能力は、圧縮機の圧縮容量によって定められる。
【０００３】
最近、この冷却装置の冷却能力を可変することで、要求条件に合わせて最適の冷却を行うとともに、エネルギーを節減するための冷媒圧縮能力を可変できる容量可変圧縮機が採用されている。
【０００４】
上記のような容量可変圧縮機に関するものとして、本出願人は、内容積の異なる二つの圧縮室のいずれか一側のみで選択的に圧縮動作が行われる容量可変圧縮機を、特許文献１を通して出願したことがある。
【０００５】
特許文献１に開示された容量可変圧縮機は、各圧縮室内の回転軸の回転方向変化によって、各圧縮室のローラが偏心または偏心解除されながら圧縮または圧縮解除動作を選択的に行えるように偏心装置を備えている。また、この偏心装置は、各圧縮室の回転軸の外面に設けられる二つの偏心カムと、これら二つの偏心カムの外面に回転自在に結合される二つの偏心ブッシュと、これら二つの偏心ブッシュの外面に回転自在に結合される二つのローラと、回転軸の回転時、二つの偏心ブッシュのいずれか一つを偏心位置で係止させ、他の一つを非偏心位置で係止させる係止ピンとを含んでいる。また、各圧縮室内には、半径方向に進退可能なベーンが設置されることで、各圧縮室の内部が吸入空間と吐出空間とに区画される。
【０００６】
上記の容量可変圧縮機は、偏心装置の動作によって内容積の異なる二つの圧縮室のいずれか一側で圧縮動作が行われるとき、他側で空回転を行わせることで、回転軸の回転方向を変更するだけでも、容量可変運転を行えるようにした。
【０００７】
しかしながら、上記の容量可変圧縮機は、吸入ガス分配装置を圧縮機に直接付着した簡単な構造によって、空気調和機などに容易に設置できるという長所があるが、新しい分配装置の設計及び製造によって検証されてない部品を用いることで、圧縮機の信頼性が低下するという問題点があった。
【０００８】
また、冷媒の供給が遮断された圧縮室内でも、ローラが回転軸と一緒に持続的に回転することで、空回転する圧縮室と密閉容器の内部との圧力差によって、空回転する圧縮室の内部に負圧が発生する。さらに、この負圧が回転軸の回転を阻害することになり、動力損失によって圧縮機の運転効率が低下するという問題点があった。
【０００９】
また、空回転する圧縮室の内部圧力と吐出圧力とを同一にするためには、圧縮機の空回転部に高圧の冷媒を噴射する別途の制御装置が必要となり、製造原価が上昇するという問題点があった。
【特許文献１】大韓民国特許出願第２００２−００６１４６２号
【発明の開示】
【発明が解決しようとする課題】
【００１０】
本発明は、上記のような問題点を解決するためになされたもので、吸入ガスの分配機能及び空回転部の高圧噴射機能を有する四方バルブを備えることで、製造原価を節減するとともに、検証された部品を用いることで信頼性を向上できる容量可変圧縮機を提供することを目的とする。
【００１１】
また、本発明は、初期平行圧状態で四方バルブの駆動源を得るための昇圧アルゴリズムを行うことで、四方バルブのピストンを駆動するための圧力差を発生できる容量可変圧縮機の起動運転方法を提供することを目的とする。
【課題を解決するための手段】
【００１２】
上記の目的を達成するために、本発明は、容積の異なる複数の圧縮室と；前記複数の圧縮室のうち圧縮動作が行われる圧縮室に冷媒ガスを供給し、冷媒が圧縮されてない圧縮室に圧縮された高圧冷媒を供給する流路切換装置とを含むことを特徴とする。
【００１３】
前記流路切換装置は、運転中の圧縮室にガスを分配し、非運転中の圧縮室に圧縮された高圧冷媒を噴射する四方バルブを含むことを特徴とする。
【００１４】
前記四方バルブは、圧縮された高圧冷媒を吐出する吐出配管から分岐されたバイパス管と、圧縮しようとする吸入冷媒ガスが供給される流入配管と、前記流入配管から流入された吸入冷媒ガスを前記複数の圧縮室に伝達する複数の吸入管と、にそれぞれ連結され、前記複数の吸入管のいずれか一つを選択的に流入配管に連結し、他の吸入管を前記バイパス管に連結することを特徴とする。
【００１５】
前記制御部は、初期平行圧状態で、前記四方バルブのピストンを駆動するための昇圧運転を制御することを特徴とする。
【００１６】
また、本発明は、容積の異なる複数の圧縮室と、前記複数の圧縮室に冷却ガスを選択的に分配する四方バルブとを備えた容量可変圧縮機の起動方法において、前記圧縮機が初期起動モードであるかを判断する段階と;前記圧縮機が初期起動モードであると判断されると、初期平行圧状態で前記四方バルブのピストンを駆動するための複数の圧縮室の圧力差を形成するように、四方バルブを制御する段階とを含むことを特徴とする。
【００１７】
圧力差を形成するように四方バルブを制御する段階は、複数の圧縮室の一つ以上を運転する段階と；所定の待機時間の間、圧縮機を停止する段階と；所定の待機時間が経過した後、残りの一つ以上の圧縮室を運転する段階とを含むことを特徴とする。
【００１８】
また、前記複数の圧縮室のうち一つ以上の圧縮室または残りの一つ以上の圧縮室を所定時間の間選択的に運転し、前記所定の待機時間の間、複数の圧縮室の運転を全て停止することを特徴とする。
【００１９】
また、前記圧縮機が断続運転モードであるかを判断する段階をさらに含むことを特徴とする。
【００２０】
前記圧縮機が断続運転モードであると判断されると、前記四方バルブを制御することで、前記四方バルブのピストンを駆動するための複数の圧縮室の圧力差を形成し、前記断続運転モードは、圧縮機が所定時間経過した後、再び起動することを特徴とする。
【発明の効果】
【００２１】
本発明による容量可変圧縮機及びその起動運転方法によると、容量可変圧縮機の複数の圧縮室のいずれか一つに吸入冷媒ガスを分配し、他の圧縮室(圧縮室の空回転部)に高圧の冷媒圧縮ガスを噴射する四方バルブを用いることで、製造原価を節減するとともに、検証された部品を用いることで信頼性を向上できるという効果がある。
【００２２】
また、四方バルブの駆動源を得るための昇圧アルゴリズムを行うことで、初期平行圧状態で四方バルブのピストンを駆動するための圧力差を発生できるという効果がある。
【発明を実施するための最良の形態】
【００２３】
以下、本発明の一実施形態を図面に基づいて説明する。
【００２４】
図１は、本発明による容量可変圧縮機１０の構成を示した縦断面図である。図１に示すように、本発明の容量可変圧縮機１０は、外観をなす円筒状の密閉容器１１０を備えており、この密閉容器１１０は、回転力を発生する駆動部１２０と、この駆動部１２０から動力を受けて冷媒を圧縮する圧縮部１３０とを含んでいる。
【００２５】
駆動部１２０は、密閉容器１１０の内面に固定される円筒状の固定子１２１と、この固定子１２１の内部に回転自在に設置され、その中心部に回転軸１２３が挿入される回転子１２２と、から構成される。この駆動部１２０は、回転軸１２３を正方向または逆方向に回転させる。
【００２６】
圧縮部１３０は、上/下部に相互異なる容積(１００％または４０％)を有する第１圧縮室１３１ａ及び第２圧縮室１３２ａをそれぞれ備え、軸方向に並んで配置された第１シリンダー１３１及び第２シリンダー１３２と、第１圧縮室１３１ａの上端及び第２圧縮室１３２ａの下端をそれぞれ閉鎖する上部フランジ１３３及び下部フランジ１３４と、第１圧縮室１３１ａと第２圧縮室１３２ａとの間に配置され、第１圧縮室１３１ａと第２圧縮室１３２ａとを区画する仕切り板１３５とを含んでいる。
【００２７】
このとき、第１シリンダー１３１及び第２シリンダー１３２には、流入配管７０を通して伝達された低圧の冷媒を第１圧縮室１３１ａ及び第２圧縮室１３２ａにそれぞれ案内するために、その一側に第１吸入管７２ａ及び第２吸入管７２ｂがそれぞれ連結される。
【００２８】
第１圧縮室１３１ａ及び第２圧縮室１３２ａは、回転軸１２３に配置され、第１偏心部１２３ａが第１圧縮室１３１ａに偏心され、第２偏心部１２３ｂが第２圧縮室１３２ａに偏心されるように設置される。各第１及び第２偏心部１２３ａ，１２３ｂの外面には、第１ローラ１３６ａ及び第２ローラ１３６ｂがそれぞれ回転自在に結合される。
【００２９】
また、図示してないが、各圧縮室１３１ａ，１３２ａには、先端がローラ１３６ａ，１３６ｂの外周面によって弾性的に支持され、圧縮室１３１ａ，１３２ａの内部を冷媒吸入空間と冷媒吐出空間とに区画するベーンが備わる。
【００３０】
密閉容器１１０の上端には、圧縮された冷媒を圧縮機１０から吐出する吐出配管７１が設置される。
【００３１】
また、本発明の容量可変圧縮機１０は、異なる容量を有する第１圧縮室１３１ａ及び第２圧縮室１３２ａのいずれか一つのみで冷媒の圧縮を行わせることで、圧縮機１０の容量を可変できるが、このために、本発明の圧縮機１０には、第１吸入管７２ａ及び第２吸入管７２ｂのいずれか一つに流入配管７０を選択的に連結する流路切換装置が備わる。
【００３２】
この流路切換装置は、冷媒の供給が遮断された第１圧縮室１３１ａまたは第２圧縮室１３２ａで負圧が発生することを防止するために、吐出配管７１から吐出された高圧の圧縮冷媒の一部を冷媒の供給が遮断された第１圧縮室１３１ａまたは第２圧縮室１３２ａのいずれか一つに供給する。
【００３３】
このために、流路切換装置は、ソレノイド方式で動作する四方バルブ６０からなり、吐出配管７１の特定位置と四方バルブ６０との間には、吐出配管７１から吐出された高圧の圧縮冷媒の一部を四方バルブ６０に案内するバイパス管７３が連結されている。
【００３４】
図２は、本発明による容量可変圧縮機の冷凍サイクルを示した概略図である。図２に示すように、本発明による容量可変圧縮機１０の冷凍サイクルは、容量可変圧縮機１０と、この容量可変圧縮機１０で圧縮された高温高圧の気体冷媒を冷却させる凝縮器２０と、この凝縮器２０から冷媒を受けて減圧膨脹させる膨脹装置３０と、この膨脹装置３０で減圧膨脹された冷媒を熱の吸収によって蒸発させる蒸発器４０とを含んでいる。
【００３５】
図３は、本発明による容量可変圧縮機１０の第１圧縮室１３１ａにおいて、圧縮動作が行われるときの四方バルブの動作状態図で、図４は、本発明による容量可変圧縮機１０の第２圧縮室１３２ａにおいて、圧縮動作が行われるときの四方バルブの動作状態図である。
【００３６】
図３及び図４に示すように、四方バルブ６０は、流入配管７０に連結される流入ポート６１ａと、第１吸入管７２ａに連結される第１吸入ポート６１ｂと、第２吸入管７２ｂに連結される第２吸入ポート６１ｃと、バイパス管７３に連結されるバイパスポート６１ｄと、をそれぞれ含む本体部６１と、この本体部６１の一側に設置され、電源を受けて磁気場を発生するソレノイド６２と、このソレノイド６２から発生した磁気場によって往復移動するピストン６３と、このピストン６３に連結されてピストン６３と一緒に往復移動し、バイパス管７３及び流入配管７０のいずれか一つを第１吸入管７２ａ及び第２吸入管７２ｂのいずれか一つに連結する流路切換部材６４と、を含んでいる。
【００３７】
結論的に、四方バルブ６０は、この流路切換部材６４の位置によって第１圧縮室１３１ａ及び第２圧縮室１３２ａのいずれか一つに吸入冷媒ガスを供給する吸入ガスの分配機能と、冷媒ガスが供給されてない第１圧縮室１３１ａまたは第２圧縮室１３２ａ(すなわち、空回転部)にバイパス管７３を通して高圧の圧縮冷媒ガスを供給する高圧の冷媒噴射機能とを同時に行う。
【００３８】
したがって、ソレノイド６２に電源が印加されてない第１運転状態では、図３に示すように、流路切換部材６４は、流入配管７０と第１吸入管７２ａとが互いに連結され、バイパス管７３と第２吸入管７２ｂとが互いに連結されるように位置される。
【００３９】
よって、蒸発器４０から伝達された低圧の冷媒は、第１圧縮室１３１ａに流入されて圧縮されるので、本発明の容量可変圧縮機１０が第１圧縮室１３１ａの容積に対応する容量(例えば、１００％、全体ロード)で動作し、吐出配管７１から吐出された高圧の圧縮冷媒の一部が第２圧縮室１３２ａに流入され、第２圧縮室１３２ａにおける負圧の発生を防ぐ。
【００４０】
また、ソレノイド６２に電源が印加され、図４に示した第２運転状態になると、流路切換部材６４は、流入配管７０と第２吸入管７２ｂとが互いに連結され、バイパス管７３と第１吸入管７２ａとが互いに連結されるように位置される。
【００４１】
よって、蒸発器４０から伝達された低圧の冷媒は、第２圧縮室１３２ａに流入されて圧縮されるので、本発明の容量可変圧縮機１０が第２圧縮室１３２ａの容積に対応する容量(例えば、４０％、部分ロード)で動作し、この場合、吐出配管７１から吐出された高圧の圧縮冷媒の一部が第１圧縮室１３１ａに流入され、第１圧縮室１３１ａにおける負圧の発生を防ぐ。
【００４２】
図５は、本発明の一実施形態による容量可変圧縮機１０の起動運転装置の制御構成図で、起動運転装置は、信号入力部２００、温度感知部２１０、制御部２２０、圧縮機駆動部２３０、運転状態感知部２４０及び四方バルブ駆動部２５０を含んで構成される。
【００４３】
信号入力部２００は、使用者が選択する運転モード及び設定温度Ｔｓなどの運転情報を入力し、温度感知部２１０は、本発明の容量可変圧縮機１０が適用された空気調和機などの室内温度Ｔｒ(冷蔵庫の場合は、冷蔵庫の内部温度)を感知する。
【００４４】
制御部２２０は、圧縮機１０の初期起動運転(冷起動)または断続起動運転(所定時間の経過後、再起動)時、四方バルブ６０の駆動源を得るための昇圧アルゴリズム(初期平行圧の条件で、四方バルブ６０のピストン６３を駆動するための圧力差を発生するアルゴリズム)を行うマイコンであり、第１圧縮室１３１ａ及び第２圧縮室１３２ａの運転時間または停止時間をカウンターするタイマーを内蔵している。
【００４５】
また、制御部２２０は、室内温度Ｔｒと設定温度Ｔｓとを比較した後、温度差Ｔｒ-Ｔｓが小さいときは、運転容量を減少させて第２圧縮室１３２ａの圧縮運転を制御し、温度差Ｔｒ-Ｔｓが大きいときは、運転容量を増加させて第１圧縮室１３１ａの圧縮運転を制御する。
【００４６】
圧縮機駆動部２３０は、制御部２２０から受けた圧縮機制御信号によって回転軸１２３を正方向または逆方向に回転させて第１及び第２圧縮室１３１ａ，１３２ａをそれぞれ運転し、運転状態感知部２４０は、圧縮機１０が冷/温起動運転であるか、または、連続/断続起動運転であるかを判断するために、圧縮機１０の運転状態を感知し、この感知された運転状態を制御部２２０に入力する。
【００４７】
一方、制御部２２０は、圧縮機１０の運転状態を感知するように構成される。
【００４８】
四方バルブ駆動部２５０は、制御部２２０から受けたバルブ制御信号によって蒸発器４０から伝達された吸入冷媒ガスを第１圧縮室１３１ａまたは第２圧縮室１３２ａに分配し、冷媒が供給されてない第１圧縮室１３１ａまたは第２圧縮室１３２ａ(すなわち、圧縮機１０の空回転部)に高圧の圧縮冷媒の一部を供給するように、四方バルブ６０のオン/オフを制御する。
【００４９】
以下、上記のように構成された容量可変圧縮機１０の起動運転方法の動作過程及び作用効果を説明する。
【００５０】
図６は、本発明による容量可変圧縮機１０の起動運転方法の動作フローチャートである。
【００５１】
本発明の容量可変圧縮機１０は、第１圧縮室１３１ａが大容量(１００％)を有し、第２圧縮室１３２ａが小容量(４０％)を有するように構成され、この容量可変圧縮機１０には、一つの圧縮室に吸入ガスを分配し、圧縮機１０の空回転部に高圧の圧縮冷媒ガスを噴射する四方バルブ６０が付着される。
【００５２】
圧縮機１０が運転を開始すると、制御部２２０は、圧縮機１０が冷起動運転であるか、または、温起動運転であるかを判断する(Ｓ３００)。
【００５３】
ここで、冷起動運転は、圧縮機１０の運転が最初の起動運転である場合で、温起動運転は、冷起動運転と反対の概念として、圧縮機１０の運転が最初の起動運転でない場合である。
【００５４】
圧縮機１０が温起動運転であると、制御部２２０は、圧縮機１０が連続運転であるか、または、断続運転であるかを判断する(Ｓ３１０)。
【００５５】
ここで、連続運転は、圧縮機１０が所定時間(約１５秒)内に再び運転を開始する場合で、断続運転は、圧縮機１０が所定時間(約１５秒)以上停止した後、再び運転を開始する場合である。
【００５６】
圧縮機１０が断続運転であると、四方バルブ６０のピストン６３を駆動するための第１圧縮室１３１ａと第２圧縮室１３２ａとの圧力差を発生するように、四方バルブ６０の昇圧アルゴリズムを下記のように行う。
【００５７】
まず、制御部２２０は、圧縮機駆動部２３０を通して圧縮機１０の第１圧縮室１３１ａを運転することで、圧縮機１０の運転容量を１００％(全体ロード)に制御する(Ｓ３２０)。
【００５８】
その後、制御部２２０は、第１圧縮室１３１ａの運転時間をカウンターして所定時間ｔ１(約１分)が経過したかを判断し(Ｓ３３０)、所定時間ｔ１が経過すると、第１圧縮室１３１ａの運転を停止する(Ｓ３４０)。
【００５９】
その後、制御部２２０は、第１圧縮室１３１ａの運転停止時間をカウンターして所定時間ｔ２(運転停止中の圧縮室に切り換えるための時間、約１５秒)が経過したかを判断し(Ｓ３５０)、所定時間ｔ２が経過すると、制御部２２０は、圧縮機１０の第２圧縮室１３２ａを運転することで、圧縮機１０の運転容量を４０％(部分容量)に制御する(Ｓ３６０)。
【００６０】
その後、制御部２２０は、第２圧縮室１３２ａの運転時間をカウンターして所定時間ｔ３(約１分)が経過したかを判断し(Ｓ３７０)、所定時間ｔ３が経過すると、第２圧縮室１３２ａの運転を停止する(Ｓ３８０)。
【００６１】
ここで、所定時間ｔ３は、第１圧縮室１３１ａの運転時間ｔ１と同一に設定するか、または、異なるように設定するが、これは、圧縮機１０の容量などによって任意に変更できる。
【００６２】
一方、段階Ｓ３００で圧縮機１０が冷起動運転であると判断されると、圧縮機１０が最初の起動を開始した状態であるため、制御部２２０は、初期平行圧の条件で四方バルブ６０のピストン６３を駆動するための第１圧縮室１３１ａと第２圧縮室１３２ａとの圧力差を発生するように、段階Ｓ３２０に進み、四方バルブ６０によって昇圧アルゴリズムを行う。
【００６３】
昇圧アルゴリズムの結果、四方バルブ６０の動作が可能になると、制御部２２０は、室内温度Ｔｒと設定温度Ｔｓとを比較し、その温度差Ｔｒ-Ｔｓが所定の基準温度Ｔａ以上であるかを判断する(Ｓ３９０)。
【００６４】
温度差Ｔｒ-Ｔｓが所定の基準温度Ｔａ以上であると、制御部２２０は、圧縮機１０の運転容量を増加させて第１圧縮室１３１ａを運転し(Ｓ４００)、温度差Ｔｒ-Ｔｓが所定の基準温度Ｔａ以上でないと、制御部２２０は、圧縮機１０の運転容量を減少させて第２圧縮室１３２ａを運転する(Ｓ４１０)。
【図面の簡単な説明】
【００６５】
【図１】本発明による容量可変圧縮機の構成を示した縦断面図である。
【図２】本発明による容量可変圧縮機の冷凍サイクルを示した概略図である。
【図３】本発明による容量可変圧縮機の第１圧縮室において、圧縮動作が行われるときの四方バルブの動作状態図である。
【図４】本発明による容量可変圧縮機の第２圧縮室において、圧縮動作が行われるときの四方バルブの動作状態図である。
【図５】本発明の一実施形態による容量可変圧縮機の起動運転装置の制御構成図である。
【図６】本発明による容量可変圧縮機の起動運転方法の動作フローチャートである。
【符号の説明】
【００６６】
１０    圧縮機
６０    流路切換装置
７０    流入配管
７１    吐出配管
７２ａ，７２ｂ  第１及び第２吸入管
７３    バイパス管
１１０  密閉容器
１２０  駆動部
１２１  固定子
１２２  回転子
１２３  回転軸
１２３ａ，１２３ｂ  第１及び第２偏心部
１３０  圧縮部
１３１，１３２  第１及び第２シリンダー
１３１ａ，１３２ａ  第１及び第２圧縮室
１３３，１３４  上部及び下部フランジ
１３５  仕切り板
１３６ａ，１３６ｂ  第１及び第２ローラー
【図１】
2006233954.tif 000003
【図２】
2006233954.tif 000004
【図３】
2006233954.tif 000005
【図４】
2006233954.tif 000006
【図５】
2006233954.tif 000007
【図６】
2006233954.tif 000008